(57)【特許請求の範囲】
【請求項１】
冷媒導管の間に変形可能な薄板を有する冷却器に取付け部材アダプタを固定するための装置において、取付け部材アダプタ（３）を有するアダプタ支持部材（２）及び対応部材（５）を備えており、これらのアダプタ支持部材（２）及び対応部材（５）が、それぞれ互いに面して楔形に形成された若干の突出部（１１，１３，１７，２１）を有しており、アダプタ支持部材（２）及び対応部材（５）に、これらのアダプタ支持部材（２）と対応部材（５）とを結合するためのロック装置（６）が形成されている形式のものにおいて、アダプタ支持部材（２）及び対応部材（５）が、各２つの縁部側の縁区分（１６，２０）と、これらの縁区分の間に延びる各１つの横方向区分（１５，１９）とを備えたＵ字形の形状を有しており、アダプタ支持部材（２）及び対応部材（５）の縁区分（１６，２０）と横方向区分（１５，１９）とに突出部（１１，１３，１７，２１）が互いに対を成して対向位置するように配置されており、これらの突出部（１１，１３，１７，２１）が、前記薄板の変形下で該薄板に係合しており、ロック装置（６）が、少なくとも１つのロック舌片（７）と少なくとも１つの舌片収容部（８）とを有しており、ロック舌片（７）が所属の舌片収容部（８）に挿入可能であり、舌片収容部（８）にロック部材（２５）が形成されており、ロック舌片（７）が舌片収容部（８）に挿入されると、ロック舌片（７）に形成された係止ノーズ（１８）が前記ロック部材と係合することを特徴とする、冷却器に取付け部材アダプタを固定するための装置。
【請求項２】
横方向区分（１５，１９）に、突出部として各横方向区分（１５，１９）の長手方向に対して平行に向けられた平面を有するインナノーズ（１７，２１）が形成されている、請求項１記載の装置。
【請求項３】
インナノーズ（１７，２１）が、中心線に対して対称的な楔形の形状を備えて形成されている、請求項２記載の装置。
【請求項４】
縁区分（１６，２０）に、突出部として各縁区分（１６，２０）の長手方向に対して平行に向けられた平面を有するアウタノーズ（１１，１３）が形成されている、請求項１から３までのいずれか１項記載の装置。
【請求項５】
若干のアウタノーズ（１１）が平らな傾斜端面（１０）を備えて形成されている、請求項４記載の装置。
【請求項６】
それぞれ楔形に曲げられた傾斜端面（１２）を備えた若干のアウタノーズ（１３）が形成されており、該アウタノーズが、アダプタ支持部材（２）と対応部材（５）との結合時に、平らな傾斜端面（１０）を有する所属のアウタノーズ（１１）に対向位置している、請求項５記載の装置。
【請求項７】
舌片収容部（８）がロック解除用切欠き（９）を有しており、該ロック解除用切欠きを介して、ロック舌片（７）と所属のロック部材（２５）との間の係合を解離するための工具が貫通案内可能である、請求項１記載の装置。
【請求項８】
取付け部材アダプタ（３）が、アダプタ支持部材（２）及び対応部材（５）の接合状態において、これらのアダプタ支持部材（２）と対応部材（５）との間に形成された収容室（１４）を覆って延びる支持面を有しており、対応部材（５）が、アダプタ支持部材（２）及び対応部材（５）の接合状態において、取付け部材アダプタ（３）の両側に配置された少なくとも２つの支持ウェブ（２３）を有しており、これらの支持ウェブの収容室（１４）に面した側が、取付け部材アダプタ（３）の支持面の平面内に位置している、請求項１から７までのいずれか１項記載の装置。
【発明の詳細な説明】
【技術分野】
【０００１】
本発明は、請求項１の上位概念に記載の形式の、冷却器に取付け部材アダプタを固定するための装置に関する。
【０００２】
このような形式の装置は、ヨーロッパ特許第０４０１５００号明細書から公知である。この公知の装置では、Ｌ字形条片を備えたＵ字形の側面部材が支持部材及び対応部材としえ設けられており、これらの支持部材及び対応部材には、それぞれ互いに面して楔形に形成された若干の突出部が設けられており且つ前記条片を結合するためのロック装置が形成されている。前記側面部材は、冷却器の外縁側を包囲係合する。
【０００３】
例えば米国特許第５１０７６８８号明細書から、冷蔵庫の背面側の冷却器の冷媒導管に取付け部材アダプタを固定するために設けられた装置が公知である。この公知の装置は係止作用を以て互いに向かい合った冷媒導管に係合する。但し、この装置の使用は、横断面が円形で当該装置を係止するために少なくとも部分的に露出した冷却導管を有する冷却器に限定されている。
【０００４】
本発明の課題は、冷媒導管の間に変形可能な薄板が設けられている冷却器の中央域に安定して固定可能な装置を提供することである。
【０００５】
この課題は、冒頭で述べた形式の装置において、本発明に基づき請求項１の特徴部に記載の構成によって解決される。
【０００６】
これにより、特に良好なセルフ固定が横方向区分の領域における比較的小さなてこ作用によって得られると同時に、縁区分の領域における十分な安定が得られる。
【０００７】
前記の有利な構成の改良では、有利には横方向区分に突出部として、各横方向区分の長手方向に対して平行に向けられた平面を備えたインナノーズが形成されている。このようにして、まず第１に横方向区分の長手方向で薄板を押し退けると、結果的に係合を得るために必要とされる力は比較的小さい。
【０００８】
更に前記改良では、均一な係合特性を得るために、有利には中心線に対して対称的な楔形の形状を有するインナノーズが形成されている。
【０００９】
前記改良を補足する別の構成又は択一的な構成では、有利には縁区分に突出部として、各縁区分の長手方向に対して平行に向けられた平面を有するアウタノーズが形成されている。このようにして、まず第１に縁区分の長手方向で薄板を押し退けると、結果的に係合を得るために必要とされる力はここでも比較的小さい。
【００１０】
前記構成では、冷却器との効果的な自動緊締のために、平らな傾斜端面を備えた若干のアウタノーズが形成されている。
【００１１】
この構成において更に有利には、若干のアウタノーズがそれぞれ楔形に曲げられた傾斜端面を備えて形成されており、これらのアウタノーズは、アダプタ支持部材及び対応部材の結合時に、平らな傾斜端面を備えた対応するアウタノーズに対向位置する。これにより、冷却器の奥行きを介したアウタノーズの係合延いてはアダプタ支持部材及び対応部材の冷却器における確実な保持が得られる。
【００１２】
本発明による装置の更に別の有利な構成では、ロック装置が少なくとも１つのロック舌片と少なくとも１つの舌片収容部とを有しており、この場合、ロック舌片は所属の舌片収容部に挿入可能であり、この舌片収容部にはロック部材が形成されており、このロック部材には、ロック舌片がロック収容部に挿入されると、ロック舌片に形成された係止ノーズが係合する。これにより、アダプタ支持部材と対応部材との間に簡単且つ確実な結合が得られる。
【００１３】
前記構成の改良において、舌片収容部はロック解除用切欠きを有しており、このロック解除用切欠きを介して、ロック舌片と所属のロック部材との係合を解離するための工具が貫通案内可能である。これにより、アダプタ支持部材と対応部材との間の結合が、必要な場合に比較的簡単に解離可能である。
【００１４】
本発明による装置の更に別の有利な構成では、取付け部材アダプタが、アダプタ支持部材及び対応部材の接合状態においてこれらのアダプタ支持部材と対応部材との間に形成された収容室を覆って延在する支持面を有しており、対応部材が、アダプタ支持部材及び対応部材の接合状態において取付け部材アダプタの両側に配置された少なくとも２つの支持ウェブを有しており、これらの支持ウェブの収容室に面した側は、取付け部材アダプタの支持面の平面内に位置している。このようにして、当該装置は、取付け部材アダプタの支持面と、支持ウェブの収容室に面した側とで比較的大面積の支持範囲を覆って規定通りに配置した場合、突出部と薄板との係合を安定させるように冷却器の端面に接触する。
【００１５】
以下に、本発明の実施例を図面につき詳しく説明する。
【００１６】
図１には実施例として斜視図で自動車の冷却器（図１には図示せず）に固定するための本発明による冷却器固定装置１が示されており、前記冷却器は、ほぼ平行に延びる複数の冷媒導管の間に多数の薄板を有しており、これらの薄板は隣接する冷媒導管の間に延在しており、肉薄で比較的容易に変形可能である。冷却器固定装置１はアダプタ支持部材２を有しており、このアダプタ支持部材２は取付け部材アダプタ３を有している。取付け部材アダプタ３は例えば結合ピン４を備えて形成されており、この結合ピン４は、所定の取付け部材（図１には図示せず）を冷却器固定装置１に結合し、最終的には冷却器に結合するために役立つ。
【００１７】
アダプタ支持部材２は、冷却器固定装置１が接合されて配置された図１に示した状態では対応部材５に結合されており、このためには、冷却器固定装置１はロック装置６を有しており、このロック装置６は、図示の実施例ではアダプタ支持部材２に形成された２つのロック舌片７と、対応部材５に形成された２つの舌片収容部８とを有している。ロック舌片７及び舌片収容部８は、アダプタ支持部材２若しくは対応部材５の各縁部域において取付け部材アダプタ３の両側に位置している。
【００１８】
図１から判るように、舌片収容部８は、冷却器固定装置１の接合状態においてアダプタ支持部材２とは反対の側にロック解除用切欠き９を有しており、このロック解除用切欠き９を介して、ロック舌片７に係合し且つアダプタ支持部材２と対応部材５との結合を解離するための工具が貫通案内可能である。
【００１９】
アダプタ支持部材２及び対応部材５には、それぞれ冷却器固定装置１の接合状態において互いに向き合うべき若干の突出部が形成されている。これらの突出部は、アダプタ支持部材２の縁部側に平らな傾斜端面１０を備えて形成された複数のアウタノーズ１１と、対応部材５の縁部側に楔状に曲げられた傾斜端面１２を備えて形成された複数のアウタノーズ１３とを含む。平らな傾斜端面１０は、取付け部材アダプタ３に面して方向付けられている。
【００２０】
図１から、冷却器固定装置１の接合状態では、対応部材５のアウタノーズ１３の平らな傾斜端面１２の区分が、アダプタ支持部材２のアウタノーズ１１の平らな傾斜端面１０に密に隣接し且つほぼ平行に位置しており、アダプタ支持部材２と対応部材５の間に冷却器を収容するための収容室１４が形成されているということが明らかである。この収容室１４の奥行きは、冷却器固定装置１を固定することのできる冷却器の厚さに相応する。
【００２１】
図２には、図１に示した冷却器固定装置１のアダプタ支持部材２の斜視図が示されている。
【００２２】
図２から、アダプタ支持部材２が横方向区分１５と、縁部側でこの横方向区分１５に対してほぼ直角に延びる２つの縁区分１６とを備えたＵ字形の形状を有しているということが判る。横方向区分１５には突出部として若干のインナノーズ１７が形成されており、これらのインナノーズ１７は、図２に示した実施例では横方向区分１５の長手方向に対して且つ互いに平行な２つの列で配置されている。
【００２３】
インナノーズ１７は、横方向区分１５の長手方向に対して平行に向けられた２つの平面及び横方向区分１５の長手方向に対して直角に向けられた中心線に対して対称的な形状を備えて形成されている。インナノーズ１７の列間の間隔は、冷却器固定装置１を冷却器に固定する際にインナノーズ１７が１冷媒導管の両側に位置決めされているように調整されている。
【００２４】
アウタノーズ１１は、それぞれ横方向区分１５の長手方向に対して直角に向けられた縁区分１６の外側に配置されている。アウタノーズ１１は、各縁区分１６の長手方向に対して平行に向けられた平面を備えて形成されており、当該アウタノーズ１１も、冷却器に冷却器固定装置１を固定する際にそれぞれ１冷媒導管の両側に位置決めされているように調整された間隔を有している。
【００２５】
更に図２からは、ロック舌片７の自由端部がそれぞれ係止ノーズ１８を備えて形成されており、これらの係止ノーズ１８の突出区分が縁区分１６とは逆向きに向けられているということが判る。
【００２６】
図３には、図１に示した冷却器固定装置１の対応部材５の斜視図が示されている。図３からは、対応部材５も、横方向区分１９と、縁部側でこの横方向区分１９に対してほぼ直角に延びる２つの縁区分２０とを備えたＵ字形の形状を有しているということが判る。冷却器固定装置１の接合状態において、アダプタ支持部材２及び対応部材５の横方向区分１５，１９及び縁区分１６，２０は互いに向かい合って位置している。
【００２７】
対応部材５の横方向区分１９には、アダプタ支持部材２の横方向区分１５に対応して突出部として対称的な楔形の平面を有する若干のインナノーズ２１が形成されており、これらのインナノーズ２１は、図３に示した実施例では冷却器固定装置１の接合状態において対応するアダプタ支持部材２のインナノーズ１７に対向位置している。
【００２８】
更に、対応部材５の縁区分２０に配置されたアウタノーズ１３は、アダプタ支持部材２のアウタノーズ１１に対応するように位置決めされている。この場合、冷却器固定装置１の接合状態において対応部材５のアウタノーズ１３の楔形の傾斜端面１２の区分は、対向位置するアダプタ支持部材２のアウタノーズ１１の平らな傾斜端面１０に対して密に隣接している。
【００２９】
図３からは、ロック装置６の構成部材としての舌片収容部８が、それぞれ所属のロック解除用切欠き９に対向位置する、アダプタ支持部材２に形成されたロック舌片７を挿入するための舌片挿入用切欠き２２を有しているということも判る。
【００３０】
更に図３からは、対応部材５が各舌片収容部８に隣接して支持ウェブ２３を有しており、これらの支持ウェブ２３の自由端部はアウタノーズ１３及びインナノーズ２１の方向を指しているということが判る。冷却器固定装置１の接合状態において支持ウェブ２３の収容室１４に面した側は、取付け部材アダプタ３のやはり収容室１４に面した側の平面内に位置しているので、収容室１４に配置された冷却器のための支持部が得られる。
【００３１】
図４には、図３に示した対応部材５の舌片収容部８の構成が断面されて示されている。舌片収容部８は、ロック解除用切欠き９と舌片挿入用切欠き２２との間に、舌片挿入用切欠き２２からロック解除用切欠き９へ、縁区分２０に向かって上昇する滑りウェブ２４を有しており、この滑りウェブ２４はロック部材としてのロックウェブ２５で終わっている。
【００３２】
これにより、ロック舌片７を舌片収容部８に挿入する際に、係止ノーズ１８が滑りウェブ２４に沿って、係止作用を以てロックウェブ２５に背面係合するまで滑動する。この冷却器固定装置１の接合状態において、アダプタ支持部材２と対応部材５とは互いに固着結合されている。この結合を解離するためには、ロック解除用切欠き９を介して工具を挿入することができ、これにより、係止ノーズ１８とロックウェブ２５との係合が解離される。
【００３３】
特に振動時でも、冷媒導管の間に延びる変形可能な薄板を有する冷却器に冷却器固定装置１を長時間安定的に固定することは、以下のように実施される。即ち、アダプタ支持部材２及び対応部材５が、取付け部材アダプタ３若しくは支持ウェブ２３の収容室１４に面した側の支持下で冷却器の縁部側に載置され、ロック舌片７が舌片収容部８に挿入される。
【００３４】
次いで、アウタノーズ１１，１３及びインナノーズ１７，２１を薄板に押し込みつつ、アダプタ支持部材２及び対応部材５を接合する。この場合、前記薄板は変形される。
【００３５】
係止ノーズ１８をロックウェブ２５により係止した後は、アダプタ支持部材２及び対応部材５の互いに面した側がそれぞれ冷却器の外側に接触している。取付け部材アダプタ３及び支持ウェブ２３の収容室１４に面した側は、冷却器の縁部側に載着している。アウタノーズ１１，１３及びインナノーズ１７，２１は、冷却器の変形された薄板と長時間安定的に遊び無く係合されており、ロック装置６によって得られる結合に加えて付加的に、互いの直角の向きに基づいて冷却器の薄板との係合を保証する。
【図面の簡単な説明】
【００３６】
【図１】自動車の冷却器に固定するための冷却器固定装置の斜視図である。
【図２】図１に示した冷却器固定装置のアダプタ支持部材の斜視図である。
【図３】図１に示した冷却器固定装置の対応部材の斜視図である。
【図４】図３に示した対応部材の舌片収容部の構成の断面図である。
【図１】
0004464399.tif 000002
【図２】
0004464399.tif 000003
【図３】
0004464399.tif 000004
【図４】
0004464399.tif 000005